(57)【要約】【課題】導光板の生産ばらつきによる輝度分布の不均一を均一化する液晶表示装置を提供すること。【解決手段】実装面に光源が実装される基板と、前記実装面に対向配置されて前記光源から出射される光を導入する光入射面を有する導光部材と、前記基板と前記導光部材との間に介在して前記光源と前記光入射面とを非接触状態に維持するスペーサと、備え、前記スペーサによって前記光源と前記導光部材との距離が調整可能であることとする。【選択図】図１
2014106395.tif 000002
【特許請求の範囲】
【請求項１】
実装面に光源が実装される基板と、
前記実装面に対向配置されて前記光源から出射される光を導入する光入射面を有する導光部材と、
前記基板と前記導光部材との間に介在して前記光源と前記光入射面とを非接触状態に維持するスペーサと、
を備え、
前記スペーサによって前記光源と前記導光部材との距離が調整可能であることを特徴とする液晶表示装置。
【請求項２】
複数のスペーサ及び複数の光源を備え、各スペーサ間には１以上の光源が配されることを特徴とする請求項１に記載の液晶表示装置。
【請求項３】
前記スペーサは前記基板に形成されるビス孔に挿入されるビスであることを特徴とする請求項１又は請求項２に記載の液晶表示装置。
【請求項４】
前記基板を保持する保持部材を備え、前記ビスは前記基板を前記保持部材に取り付け固定するビスであることを特徴とする請求項３に記載の液晶表示装置。
【請求項５】
前記ビスは頭部と軸部とを備え、前記軸部が前記基板の前記実装面から前記導光部材に向かって突出するように前記保持部材に形成されるビス孔及び前記基板のビス孔に挿通されることを特徴とする請求項４に記載の液晶表示装置。
【請求項６】
二辺入光型バックライト方式であることを特徴とする請求項１〜請求項５のいずれか１項に記載の液晶表示装置。
【発明の詳細な説明】
【技術分野】
【０００１】
本発明は、液晶表示装置に関する。
【背景技術】
【０００２】
近年、液晶表示装置に使用される光源モジュールの光源として、発光素子（ＬＥＤ）が広く使用されている。そして、この光源モジュールを液晶層の背面側から照らして発光させるバックライト方式が普及している。
【０００３】
バックライト方式は大きく分けて二つの方式がある。第１の方式は、光源モジュールを、液晶層の直下に配置される導光板の上下左右に一列に並べて配置するエッジ型である。第２の方式は、光源モジュールを液晶層の直下に配置する直下型である。いずれの方式であっても、バックライトとして十分な光量を確保するためには多数の光源（ＬＥＤ）が必要とされる。
【０００４】
エッジ型バックライト方式の液晶表示装置は、バックライトユニットを構成する部材として、ＬＥＤの他に導光板が設けられる。より詳説すると、導光板の主面（光出射面）が液晶表示パネルの背面（映像表示面とは反対側の面）と対向するように配置されるとともに、導光板の端面（光入射面）には当該光入射面に向かって光を出射する光源が配置される。光源は基板の実装面に実装されており、基板の実装面と導光板の光入射面は対向配置される。
【０００５】
導光板と光源は接触することがないように所定の間隙を有するように配置される。その際、導光板が熱によって膨張することがあるため、熱膨張しても導光板と光源とが接触しないようにされる。具体的には、図９に示すように、基板７５０を保持部材に取り付け固定するビス７６０の頭部７７０を基板７５０と導光板７８０との間に介在させるとともにビス７６０の頭部７７０の高さを光源７９０の高さよりも高くしていた。当該構成により、導光板７８０が熱によって膨張してもビス７６０の頭部７７０に接触するので導光板７８０と光源７９０の接触が防がれる。
【０００６】
ところで導光板は白色インク等により裏面（主面の反対側の面）に光拡散用のドットパターンが形成される。その際、ドットパターンのサイズやインクの濃度等にばらつきが生じることがある。このような導光板の個体差（生産ばらつき）は、主面から出射される光の輝度分布にばらつきを生じさせ、その結果、液晶表示装置としての表示品位を悪化させる。
【先行技術文献】
【特許文献】
【０００７】
【特許文献１】特開２０１０−２８２９１１号公報
【発明の概要】
【発明が解決しようとする課題】
【０００８】
特許文献１の画像表示装置は複数のＬＥＤパッケージの配置間隔を鉛直方向の上側に向かう程広くしている。表面温度が高い上部に配されるＬＥＤパッケージの配置間隔を広くすることで温度による輝度の不均一、発光色の不均一、寿命のばらつきが防がれる。加えて、導光板の反射部（印刷パターン）の配置間隔を鉛直方向の上側に向かう程に狭くしている。これにより導光板から出射される光の輝度を均一化される。
【０００９】
しかしながら特許文献１では導光板の生産ばらつきによる輝度分布の不均一を均一化することはできない。
【００１０】
本発明は、導光板の生産ばらつきによる輝度分布の不均一を均一化する液晶表示装置を提供することを目的とする。
【課題を解決するための手段】
【００１１】
上記目的を達成するために本発明の液晶表示装置は、実装面に光源が実装される基板と、前記実装面に対向配置されて前記光源から出射される光を導入する光入射面を有する導光部材と、前記基板と前記導光部材との間に介在して前記光源と前記光入射面とを非接触状態に維持するスペーサと、備え、前記スペーサによって前記光源と前記導光部材との距離が調整可能であることを特徴としている。
【００１２】
また上記構成の液晶表示装置において、複数のスペーサ及び複数の光源を備え、各スペーサ間には１以上の光源が配されることが望ましい。
【００１３】
また上記構成の液晶表示装置において、前記スペーサは前記基板に形成されるビス孔に挿入されるビスであることが望ましい。
【００１４】
また上記構成の液晶表示装置において、前記基板を保持する保持部材を備え、前記ビスは前記基板を前記保持部材に取り付け固定するビスであることが望ましい。
【００１５】
また上記構成の液晶表示装置において、前記ビスは頭部と軸部とを備え、前記軸部が前記基板の前記実装面から前記導光部材に向かって突出するように前記保持部材に形成されるビス孔及び前記基板のビス孔に挿通されることが望ましい。
【００１６】
また上記構成の液晶表示装置において、二辺入光型バックライト方式であることが望ましい。
【発明の効果】
【００１７】
本発明によれば、スペーサが基板と導光部材の間に介在して光源と導光部材が非接触状態に維持されるとともに光源と導光部材の距離が調整可能である。従って、導光部材の生産ばらつきに応じて光源と導光部材の非接触状態を確保しつつ、光源と導光部材の距離を近づける、或いは遠ざけることができる。
【図面の簡単な説明】
【００１８】
【図１】第１実施形態の液晶表示装置の概略構成を示す分解斜視図
【図２】第１実施形態の液晶表示装置のバックライトユニットの平面図
【図３】図２のＡ−Ａ断面図
【図４】導光板の輝度分布とスペーサの軸部の突出長の調整との関係を示す第１の図
【図５】導光板の輝度分布とスペーサの軸部の突出長の調整との関係を示す第２の図
【図６】第２実施形態の液晶表示装置のバックライトユニットの平面図
【図７】導光板の輝度分布とスペーサの軸部の突出長の調整との関係を示す第３の図
【図８】導光板の輝度分布とスペーサの軸部の突出長の調整との関係を示す第４の図
【図９】従来の液晶表示装置のバックライトユニットの平面図
【発明を実施するための形態】
【００１９】
[第１実施形態]
以下に本発明の実施形態について図面を参照して説明する。図１は本実施形態の液晶表示装置の概略構成を示す分解斜視図である。図２は本実施形態の液晶表示装置のバックライトユニットの平面図である。図３は図２のＡ−Ａ断面図である。
【００２０】
本実施形態の液晶表示装置１は映像を表示する液晶表示パネル１０と、液晶表示パネル１０の映像表示面とは反対側（背面側）に配されるバックライトユニット２０を備える。液晶表示パネル１０とバックライトユニット２０は筐体を構成するベゼル３０とバックシャーシ４０の間に配される。ベゼル３０は液晶表示パネル１０及びバックライトユニット２０を液晶表示パネル１０の表示面側から覆う。バックシャーシ４０は液晶表示パネル１０及びバックライトユニット２０をバックライトユニット２０の背面側から覆う。
【００２１】
液晶表示パネル１０は映像が表示される表示領域と、表示領域以外の外縁領域である非表示領域とを有する。少なくとも液晶表示パネル１０の表示領域は、アクティブマトリクス基板、カラーフィルタ、対向基板、アクティブマトリクス基板及び対向基板の間に封入される液晶（いずれも不図示）を有する。アクティブマトリクス基板には複数のＴＦＴ（Ｔｈｉｎ  Ｆｉｌｍ  Ｔｒａｎｓｉｓｔｏｒ）素子が形成される。液晶表示パネル１０はバックライトユニット２０から出射された光を受けてその表示領域に画像を表示する。
【００２２】
ベゼル３０は液晶表示パネル１０の周縁を覆うように設けられる。ベゼル３０は、枠形状を有し、その枠形状の内側に液晶表示パネル１０の表示領域を視認可能とする窓部を形成している。バックシャーシ４０は液晶表示パネル１０側が開口された略箱状に形成されている。すなわちバックシャーシ４０は液晶表示パネル１０側から平面的に見た場合の形状が四角形状とされた底部（開口とは反対側の部分）と、底部の外周に立設された４つの側部（額縁形状のフレーム部）とを有している。そして、バックシャーシ４０の４つの側部で囲まれた領域が収容領域とされており、そのバックシャーシ４０の収容領域に、バックライトユニット２０が収納される。
【００２３】
液晶表示パネル１０およびバックライトユニット２０の積層方向から見て、液晶表示パネル１０は、相対的に長い一対の長辺と、相対的に短い一対の短辺とを有する矩形形状を有する。液晶表示装置１の設置状態において、液晶表示パネル１０は、その長辺が水平方向に延伸し、短辺が鉛直方向に延伸するように位置決めされる。
【００２４】
バックライトユニット２０は下一辺入光型バックライトユニットである。バックライトユニット２０は導光板（導光部材）２１、光源モジュール２２、反射シート２３、光学シート２４を備えている（図２、図３参照）。
【００２５】
導光板２１は光源モジュール２２から射出された光が透過可能な材料から形成される。導光板２１は、アクリル樹脂、ポリスチレン樹脂、メタクリル樹脂またはポリカーボネイト樹脂などの透明性の樹脂やガラスから形成される。
【００２６】
導光板２１は、全体的に見て、直方体の平板形状を有する。液晶表示パネル１０およびバックライトユニット２０の積層方向から見て、導光板２１は、液晶表示パネル１０に対応する形状、すなわち、一対の長辺と、一対の短辺とを有する矩形形状を有する。以下、一対の長辺が延伸する方向を導光板２１の長手方向といい、一対の短辺が延伸する方向を導光板２１の短手方向という。
【００２７】
導光板２１は、主面（光出射面）２１ａおよび裏面（光出射面の反対側の面）２１ｂを有する。主面２１ａおよび裏面２１ｂは、矩形形状の平面視を有する。主面２１ａおよび裏面２１ｂは、距離を隔てて平行に配置されている。主面２１ａおよび裏面２１ｂは、導光板２１が有する複数の側面のうちで最も広い面積を有する側面である。導光板２１は、主面２１ａが液晶表示パネル１０と向かい合わせとなるように配置されている。
【００２８】
導光板２１は、端面２１ｃ（光入射面）をさらに有する。端面２１ｃは、主面２１ｂおよび裏面２１ｂに連接されている。端面２１ｃは、主面２１ａおよび裏面２１ｂに対して直角に配置されている。端面２１ｃは、主面２１ａおよび裏面２１ｂの四辺に沿って延在している。すなわち端面２１ｃは直方体の平板形状の導光板２１の側面を構成する。端面２１ｃは互いに距離を隔てて対向する一対の端面２１１、２１２と、互いに距離を隔てて対向する一対の端面２１３、２１４を有する。端面２１１、２１２は導光板２１の長手方向に延在し、端面２１３、２１４は導光板２１の短手方向に延在する。液晶表示装置１の設置状態において端面２１１は導光板２１の上面に、端面２１２は導光板２１の下面に、端面２１３、２１４は導光板２１の側面になる。
【００２９】
なお、本実施の形態におけるバックライトユニット２０では、導光板２１が一枚ものの平板から構成される場合を説明するが、このような構造に限られず、導光板２１は、導光板２１の短手方向に沿って配列される複数の分割板から構成されてもよい。導光板２１には、主面２１ａから凹むように複数の溝部が形成されてもよい。
【００３０】
導光板２１の裏面２１ｂには所定の間隔で光拡散用のドットパターンが形成される。パターンはストライプパターンでもチェックパターンでもよい。ドットパターンは印刷又は射出成型により形成される。印刷により形成される場合には白色インク等により形成される。
【００３１】
光源モジュール２２から出射された光は端面２１ｃから導光板２１に入射して導光し、上下面に臨界角よりも小さい入射角で入射した光が出射される。この時、導光板２１の下面から出射される光は反射シート２３で上方に反射する。これにより、導光板２１の主面２１ａから液晶表示パネル１０に向けて光が出射される。
【００３２】
光源モジュール２２は端面２１ｃに対向配置される。本実施形態は液晶表示装置１の設置状態において光源モジュール２２を導光板２１の真下に対向配置する下一辺入光型バックライトである。従って光源モジュール２２は端面２１２に対向配置される。光源モジュール２２は複数の光源（ＬＥＤ）５０、実装面６０ａにＬＥＤ５０が実装される基板（ＬＥＤ基板）６０を有する。複数のＬＥＤ５０は端面２１２の長手方向に沿ってＬＥＤ基板６０の実装面６０ａに所定の間隔を有して配列される。
【００３３】
反射シート２３は導光板２１の裏面側に配置される。これによって、上述したように導光板２１の裏面からの光漏れが抑制される。反射シート２３は、高反射性を有するシート状部材から形成されており、たとえば、白色ポリエチレンテレフタラートフィルムに代表される白色ポリエステルフィルムから形成されている。
【００３４】
光学シート２４は、導光板２１の主面側に配置される。光学シート２４は、光拡散を行う拡散シートおよび集光を行うレンズシートなどを含むシート群である。なお、光学シート２４に含まれるシートの種類や枚数については、用途に応じて適宜変更される。
【００３５】
図３を参照してバックライトユニット２０についてさらに詳説する。バックライトユニット２０は上述した構成に加えて、バックライトシャーシ７１、Ｐ−シャーシ７２、保持部材（固定板）８０、スペーサ９０を備える。バックライトシャーシ７１は、一方向に開口された受け皿形状を有する。
【００３６】
バックライトシャーシ７１上で且つ液晶表示パネル１０の表示領域には、反射シート２３、導光板２１、光学シート２４がこの順に積み重ねられている。またバックライトシャーシ７１上で且つ液晶表示パネル１０の非表示領域にはＬＥＤ基板６０を保持する固定板８０がビス８１によって固定される。固定板８０にはビス８１が挿通されるビス孔８０ａが形成されており、バックライトシャーシ７１にはビス８１が挿通されるビス孔７１ａが形成される。
【００３７】
Ｐ−シャーシ７２は、光学シート２４の周縁を覆うように設けられている。さらにＰ−シャーシ７２を覆うようにベゼル３０が設けられている。Ｐ−シャーシ７２とベゼル３０との間には、液晶表示パネル１０が緩衝材７４および緩衝材７５を介して挟持されている。ベゼル３０およびバックライトシャーシ７１が図示しない固定手段によって互いに固定されることにより、液晶表示装置１の各構成部品がベゼル３０とバックライトシャーシ７１との間に挟持されている。
【００３８】
スペーサ９０はＬＥＤ基板６０と導光板２１との間に介在してＬＥＤ５０と導光板２１の端面２１２（光入射面）とを非接触状態に維持する離隔部材である。本実施形態においてスペーサ９０はビスであり、スペーサ９０はＬＥＤ基板６０を固定板８０に取り付け固定する機能も担う。固定板８０は上述したビス孔８０ａに加えてスペーサ９０が挿通されるビス孔８０ｂが形成され、ＬＥＤ基板６０はスペーサ９０が挿通されるビス孔６０ｂが形成される。
【００３９】
スペーサ９０は頭部９１と軸部９２を有する。スペーサ９０は固定板８０の背面（ＬＥＤ基板６０が取り付けられる面の反対側の面）から固定板８０のビス孔８０ｂ、ＬＥＤ基板６０のビス孔６０ｂの順に軸部９２が挿通される。軸部９２は頭部９１が回されることでビス孔８０ｂ、６０ｂに対する挿通深度が可変である。軸部９２を深く挿通させたときは頭部９１が固定板８０に当接することで軸部９２の挿通が停止する。
【００４０】
軸部９２はビス孔８０ｂ、６０ｂに挿通されてＬＥＤ基板６０の実装面６０ａから導光板２１に向かって突出する。ＬＥＤ基板６０の実装面６０ａから突出する軸部９２の長さ（以下、「ＬＥＤ基板６０の実装面６０ａから突出する軸部９２の長さ」を「軸部９２の突出長」ともいう。）をＬＥＤ５０の高さ（長さ）Ｈ以上とすることでＬＥＤ５０と導光板２１の端面２１２（光入射面）との非接触状態が維持される。
【００４１】
また、上述したように軸部９２は頭部９１と固定板８０とが接触するまで挿通可能である。頭部９１と固定板８０とが接触したときの軸部９２の突出長が軸部９２の最大突出長である。従って軸部９２の突出長は、「ＬＥＤ５０の高さ（長さ）Ｈ＜軸部９２の突出長≦軸部９２の最大突出長」の範囲で調整可能である。
【００４２】
本実施形態においてバックライトユニット２０は４つのスペーサ９０を備え、ＬＥＤ基板６０及び固定板８０はビス孔６０ｂ、８０ｂを夫々４つずつ有する。各スペーサ９０の軸部９２の突出長は夫々異なる長さとすることができる。
【００４３】
図４及び図５を参照して詳説する。図４に示す導光板２１は生産ばらつきにより図４の紙面に対して右側端部の出射光の輝度が他の部分の輝度に比べて低いものとする。このような場合に上述したように複数のスペーサ９０を備える構成とすることで、図５に示すように輝度の低い右側端部において導光板２１とＬＥＤ５０との距離を、輝度の高い他の部分において導光板２１とＬＥＤ５０との距離に比べて短く（近く）することができる。
【００４４】
なお、導光板２１はＬＥＤの発熱や周囲温度の影響を受けて膨張／収縮するため、バックライトシャーシ７１に対してある程度の自由度を保てるようにクッションゴム等で半固定されている。従ってバックライトシャーシ７１に取り付けた後であっても本実施形態のようにスペーサ９０の軸部９２の突出長に応じて導光板２１とＬＥＤ５０との距離を変えることができる。
【００４５】
本実施形態において輝度の高い部分では導光板２１とＬＥＤ５０の距離が近づけられていないため、ＬＥＤ５０の出射光は導光板２１の端面２１２及びＰ−シャーシ７２やバックライトシャーシ７１等の部材に向かって出射される。部材に出射された光は減光されて端面２１２から入射し、或いは、端面２１２とは異なる方向に反射されて端面２１２から入射しない。従って、端面２１２の入射光の光量はＬＥＤ５０の出射光の光量に比較的大きな減衰が生じた光量になる。
【００４６】
これに対して輝度の低い部分では導光板２１とＬＥＤ５０の距離が近づけられているため、ＬＥＤ５０の出射光はそのほとんどが導光板２１の端面２１２に向かって出射される。つまりＬＥＤ５０の出射光の光量がほとんど減衰しないので、端面２１２の入射光の光量が多くなる。これによって輝度を高くすることができる。
【００４７】
つまり、図５に示すスペーサ９０ｄの軸部９２の突出長を他のスペーサ９０ａ、９０ｂ、９０ｃの軸部９２の突出長よりも短くすることで導光板２１の出射光の輝度分布を均一化することができる。
【００４８】
なお、本実施形態においてスペーサ９０としてＬＥＤ基板６０を固定板８０に取り付け固定する際に使用されるビスを使用することとしたがこれに限られない。ＬＥＤ５０と導光板２１を非接触状態に維持しつつ、ＬＥＤ５０とと導光板２１の距離を調整可能な機能のみを有する離隔部材としてもよい。
【００４９】
本実施形態によれば、スペーサ９０がＬＥＤ基板６０と導光板２１の間に介在してＬＥＤ５０と導光板２１が非接触状態に維持されるとともにＬＥＤ５０と導光板２１の距離が調整可能である。従って、導光板２１の生産ばらつきに応じてＬＥＤ５０と導光板２１の非接触状態を確保しつつ、ＬＥＤ５０と導光板２１の距離を近づける、或いは遠ざけることができる。
【００５０】
また、複数のスペーサ９０及び複数のＬＥＤ５０を備え、各スペーサ９０間には１以上のＬＥＤ５０が配される。言い換えれば、スペーサ９０毎にＬＥＤ５０と導光板２１の距離を異なる距離に調整可能である。従って１の導光板２１で部位ごとに生産ばらつきがあるとき、言い換えれば導光板２１から出射される光の輝度分布が不均一であるときに、部位ごとの生産ばらつきに応じて部位ごとにＬＥＤ５０と導光板２１の距離を異なる距離に調整することができる。
【００５１】
また、スペーサ９０としてビスが使用される。ビスはＬＥＤ基板６０に形成されるビス孔６０ｂに挿入されるので、挿入深度（ビスをどの程度ビス孔６０ｂに挿し込むか）によってＬＥＤ５０と導光板２１の距離を調整することができる。
【００５２】
また、ＬＥＤ基板６０と導光板２１の距離を調整するビスは、ＬＥＤ基板６０を固定板８０に取り付け固定する際に使用されるビスである。つまりＬＥＤ基板６０を取り付け固定するのに必要なビスを利用してＬＥＤ基板６０と導光板２１の距離を調整するので部品点数が増加しない。
【００５３】
また、ビス（スペーサ）９０は頭部９１と軸部９２を備え、軸部９２がＬＥＤ基板６０の実装面６０ａから導光板２１に向かって突出するように設けられる。つまり、ビス９０は固定板８０材の背面側（ＬＥＤ基板６０が取り付けられる面の反対側の面）から挿入され、頭部９１は固定板８０の背面側に存在する。従って頭部９１を回すことで軸部９２の挿入深度を調整することができるので、簡単にＬＥＤ５０と導光板２１の距離を調整することができる。
【００５４】
[第２実施形態]
図６は本実施形態の液晶表示装置のバックライトユニットの平面図である。第１実施形態のバックライトユニット２０は下一辺入光型のバックライトであったのに対し、本実施形態のバックライトユニット１２０は二辺入光型のバックライトユニットである。なお、以下の説明において第１実施形態と同様の構成については同一の符号のみを付し、説明及び図示を省略していることがある。
【００５５】
本実施形態においてバックライトユニット１２０は導光板（導光部材）２１、光源モジュール１２３、１２４、反射シート２３、光学シート２４、バックライトシャーシ７１、Ｐ−シャーシ７２、保持部材（固定板）８０、スペーサ９０を備えている。上述したように本実施形態は液晶表示装置１の設置状態において光源モジュール１２３、１２４を導光板２１の左右に対向配置する二辺入光型バックライトである。従って光源モジュール１２３は端面２１３に対向配置され、光源モジュール１２４は端面２１４に対向配置される。光源モジュール１２３、１２４は夫々複数の複数の光源（ＬＥＤ）５０、実装面６０ａにＬＥＤ５０が実装される基板（ＬＥＤ基板）６０を有する。複数のＬＥＤ５０は端面２１３、２１４の長手方向に沿ってＬＥＤ基板６０の実装面６０ａに所定の間隔を有して配列される。
【００５６】
端面２１２は導光板２１の長手方向に延在するのに対して端面２１３、２１４は導光板２１の短手方向に延在する。そこで、第１実施形態でＬＥＤ基板６０及び固定板８０はビス孔６０ｂ、８０ｂを夫々４つずつ有するのに対して、本実施形態でＬＥＤ基板６０及び固定板８０はビス孔６０ｂ、８０ｂを夫々２つずつ有する。バックライトユニット１２０が４つのスペーサ９０を備える点は第１実施形態と同様である。
【００５７】
図７及び図８を参照して詳説する。図７に示す導光板２１は生産ばらつきにより図７の紙面に対して右側端部の出射光の輝度が他の部分の輝度に比べて低く、また、右側端部において上部よりも下部のほうが輝度が低いものとする。このような場合に二辺入光式バックライトであって且つ複数のスペーサを備える構成とすることで、図８に示すように輝度の低い右側端部において導光板２１と光源モジュール１２４のＬＥＤ５０との距離を短くし、輝度の高い他の部分において導光板２１と光源モジュール１２３のＬＥＤ５０との距離を長くすることができる。
【００５８】
加えて、右側端部において輝度の高い下部における導光板２１と光源モジュール１２４のＬＥＤ５０との距離よりも、輝度の低い上部における導光板２１と光源モジュール１２４のＬＥＤ５０との距離よりを短くする（近づける）ことができる。
【００５９】
すなわち、図８に示すスペーサ９０ａ、９０ｂ、９０ｃ、９０ｄの軸部９２の突出長が、スペーサ９０ｄの軸部９２の突出長＜スペーサ９０ｃの軸部９２の突出長＜スペーサ９０ｂの軸部９２の突出長＜スペーサ９０ａの軸部９２の突出長とすることで、導光板２１の出射光の輝度分布を均一化することができる。なお、スペーサ９０ｃの軸部９２の突出長とスペーサ９０ｂの軸部９２の突出長の関係式は、スペーサ９０ｄの軸部９２の突出長をどの程度短くするか（言い換えれば導光板２１の右側端部下部の輝度がどの程度低いか）によって異なる。従って、スペーサ９０ｄの軸部９２の突出長に応じて、スペーサ９０ｃの軸部９２の突出長＝スペーサ９０ｂの軸部９２の突出長、又は、スペーサ９０ｃの軸部９２の突出長＞スペーサ９０ｂの軸部９２の突出長の関係式を満たすこととしてもよい。
【００６０】
本実施形態によれば第１実施形態と同様の効果を奏する。加えて、二辺入光型バックライトであることにより、導光板２１の出射光の輝度分布の均一化をより高精度に行うことができる。
【００６１】
[その他]
上記各実施形態においてバックライトユニット２０、１２０は４つのスペーサ９０を備えることとしているがバックライトユニット２０、１２０が備えるスペーサ９０の数は特にこれに限られるものではない。
【００６２】
また、第１実施形態では光源モジュール２２が導光板２１の長手方向に延在する端面２１２に対向配置されるためＬＥＤ基板６０及び固定板８０はビス孔６０ｂ、８０ｂを夫々４つずつ有することとした。一方、第２実施形態では光源モジュール１２３、１２４が導光板２１の短手方向に延在する端面２１３、２１４に対向配置されるためＬＥＤ基板６０及び固定板８０はビス孔６０ｂ、８０ｂを夫々２つずつ有することとした。しかしながらこれに限られるものではなく、導光板２１の長手方向に延在する端面に対向配置されるＬＥＤ基板６０及び固定板８０に形成されるビス孔の数よりも、導光板２１の短手方向に延在する端面に対向配置されるＬＥＤ基板６０及び固定板８０に形成されるビス孔の数を多くすることとしてもよい。
【００６３】
また、第２実施形態ではＬＥＤ基板６０及び固定板８０が有する４つのビス孔６０ｂ、８０ｂの形成間隔として、中央部の間隔を狭くしている（挿通されるスペーサ９０ａと９０ｂ、９０ｃと９０ｄの間隔よりも、スペーサ９０ｂと９０ｃの間隔のほうが狭い）がこれに限られるものではない。
【産業上の利用可能性】
【００６４】
本発明は、エッジ型バックライト方式の液晶表示装置に利用できる。
【符号の説明】
【００６５】
１        液晶表示装置
１０      液晶表示パネル
２０、１２０      バックライトユニット
２１      導光板（導光部材）
２１ａ    主面（光出射面）
２１ｂ    裏面
２１ｃ    端面（光入射面）
２２、１２３、１２４      光源モジュール
２３      反射シート
２４      光学シート
３０      ベゼル
４０      バックシャーシ
５０      光源（ＬＥＤ）
６０      基板（ＬＥＤ基板）
７１      バックライトシャーシ
７２      Ｐ−シャーシ
８０      保持部材（固定板）
９０      スペーサ
９１      頭部
９２      軸部
【図１】
2014106395.tif 000003
【図２】
2014106395.tif 000004
【図３】
2014106395.tif 000005
【図４】
2014106395.tif 000006
【図５】
2014106395.tif 000007
【図６】
2014106395.tif 000008
【図７】
2014106395.tif 000009
【図８】
2014106395.tif 000010
【図９】
2014106395.tif 000011